(57)【要約】【課題】映像上のノイズや音声上のノイズ等がパイロットカラーバーに混在している素材であっても、適切にレベル判定を行うことを可能とする。【解決手段】パイロットカラーバー信号１の映像信号を輝度信号と色差信号に分離する信号変換部７と、輝度信号のピークレベルを検出する輝度信号検出回路１１と、輝度信号検出回路１１で検出された輝度信号のピークレベルの良否を判定する輝度レベル判定回路１９と、色差信号レベルの最大値を検出する色差信号検出回路１２と、輝度信号に基づいて特定されるホワイト領域を縮小補正し、該補正したホワイト領域を色差検出領域として設定する色差検出領域補正回路２０と、色差検出領域を対象として、色差信号検出回路１２で検出された色差信号のレベルの良否を判定する色差レベル判定回路２１とを備えることを特徴とする映像音声レベルチェッカー。【選択図】図１
2008228166.tif 000002
【特許請求の範囲】
【請求項１】
パイロットカラーバー信号の映像信号を輝度信号と色差信号に分離する信号変換部と、
前記色差信号のレベルを検出する色差レベル検出部と、
前記輝度信号に基づいて特定されるホワイト領域を縮小補正し、該補正したホワイト領域を色差検出領域として設定する領域補正部と、
前記色差レベル検出部で検出された前記色差信号のレベルのうち、前記領域補正部で設定された色差検出領域内の色差信号のレベルを用いて、色差信号レベルの良否を判定する色差レベル判定部とを備えることを特徴とする映像音声レベルチェッカー。
【請求項２】
前記輝度信号のレベルを検出する輝度レベル検出部と、
該輝度レベル検出部で検出された前記輝度信号のレベルの良否を判定する輝度レベル判定部と、
該輝度レベル判定部及び前記色差レベル判定部の判定結果に基づいて前記映像信号の良否を判定する映像判定部とを備えることを特徴とする請求項１に記載の映像音声レベルチェッカー。
【請求項３】
前記パイロットカラーバー信号の音声信号のレベルを検出する音声レベル検出部と、
該音声レベル検出部で検出された音声信号のレベルの良否を所定の周期で判定する音声レベル判定部とを備え、
前記音声レベル判定部は、前記所定の周期で良否判定した複数の判定結果のすべてが異常判定であるときに、前記音声信号に異常があると判定することを特徴とする請求項１又は２に記載の映像音声レベルチェッカー。
【請求項４】
前記音声レベル判定部は、
前記音声レベル検出部で検出された音声信号のレベルの良否を判定する音声レベル判定回路と、
該音声レベル判定回路の判定結果を所定の間隔で区切り、各区間の判定結果のすべてが異常判定であるときに、前記音声信号に異常があると判定する出力判定回路とを備えることを特徴とする請求項３に記載の映像音声レベルチェッカー。
【請求項５】
前記音声信号に含まれるノイズを除去するノイズ除去部と、
該ノイズ除去部でノイズが除去された音声信号の周波数を検出する周波数検出部と、
該周波数検出部で検出された音声信号の周波数の良否を判定する周波数判定部とを備えることを特徴とする請求項１乃至４のいずれかに記載の映像音声レベルチェッカー。
【請求項６】
前記ノイズ除去部は、前記パイロットカラーバー信号の音声信号の下位の所定数ビットを破棄することにより、前記ノイズを除去することを特徴とする請求項５に記載の映像音声レベルチェッカー。
【発明の詳細な説明】
【技術分野】
【０００１】
本発明は、映像音声レベルチェッカーに関し、特に、ＶＴＲやテープ等の素材を番組として送出する前に、映像信号と音声信号のレベルチェックを行うための映像音声レベルチェッカーに関する。
【背景技術】
【０００２】
従来、ＶＴＲやテープ等の素材を番組として送出する際に、送出する素材の映像信号や音声信号のレベルに異常が無いかをチェックすべく、映像音声レベルチェッカー（以下、適宜「レベルチェッカー」と略称する）が用いられている。ＶＴＲ等のテープ収録の構成は、図２に示すような形式となっており、本編枠の素材の前に、図３に示すフルフィールドカラーバーや、図４に示すＳＭＰＴＥカラーバーのようなパイロットカラーバーと、基準音声信号とが挿入される。本編枠の素材を再生するのに先立って、挿入されたパイロットカラーバー及び基準音声信号を再生することにより、その素材の映像特性及び音声特性をチェックすることができる。
【０００３】
この種のレベルチェッカーとしては、例えば、特許文献１に記載されたものが知られており、図５は、上記レベルチェッカーの構成を示すブロック図である。
【０００４】
特許文献１に記載のレベルチェッカーは、図５に示すように、入力信号を映像信号と音声信号に分離する信号入力部５２と、分離された映像信号及び音声信号を波形整形する入力信号処理部５４と、映像信号を輝度信号と色差信号に分離する映像信号変換部５７と、輝度信号及び色差信号のレベルと、音声信号のレベルとを検出するレベル検出部５９と、輝度信号及び色差信号のレベルと、音声信号のレベルとの良否を判定するレベル判定部６５とを備える。
【０００５】
上記レベルチェッカーにおいては、映像音声多重信号であるパイロットカラーバー信号５１が入力されると、信号入力部５２の映像音声信号分離回路５３により、パイロットカラーバー信号５１が映像信号と音声信号に分離される。分離された映像信号は、入力信号処理部５４の映像信号処理回路５５によって波形整形された後に、映像信号変換部５７のＹ／Ｃ分離回路５８によって輝度信号と色差信号に分離される。分離された輝度信号は、レベル検出部５９の輝度信号検出回路６０に出力され、該輝度信号検出回路６０において、入力された映像信号の画像有効期間がスキャンされ、１ライン毎にピークホワイトのレベルと、そのホワイト領域のライン幅とが各々検出される。
【０００６】
検出されたピークレベル及びライン幅は、レベル判定部６５のラインメモリ６６に格納され、輝度レベル判定回路６７において、検出されたホワイト領域の面積と、設定された面積値（判定面積設定値７０）とが比較される。比較の結果、ホワイト領域の面積が設定された判定面積設定値７０以上であれば、そのホワイト領域の輝度信号のピークレベルが輝度レベル範囲設定値７１を満たすか否かが判定される。
【０００７】
一方、分離された色差信号は、レベル検出部５９の色差信号検出回路６１に出力され、該色差信号検出回路６１において、ラインメモリ６６にピークレベルが保存されている期間、すなわち、輝度信号に基づいて特定されたホワイト領域での色差信号レベルの最大値が検出される。そして、レベル判定部６５の色差レベル判定回路６８において、検出された色差信号の最大値が色差レベル範囲設定値７２を満たすか否かが判定される。
【０００８】
輝度レベル判定回路６７及び色差レベル判定回路６８の判定結果は、各々、レベル判定部６５のエリア判定回路６９に出力され、エリア判定回路６９では、輝度信号に基づいて特定されたホワイト領域の位置が、判定対象とすべきエリアの位置を予め設定した判定エリア設定値７３と一致するか否かを判定する。そして、判定エリア設定値７３と合致しなければ、輝度レベル判定回路６７及び色差レベル判定回路６８の判定結果を無効とし、判定エリア設定値７３と合致すれば、輝度レベル判定回路６７及び色差レベル判定回路６８の判定結果を用いて映像特性の良否を判定する。
【０００９】
また、分離された音声信号は、入力信号処理部５４の音声信号処理回路５６によって波形整形された後に、レベル検出部５９に出力され、音声信号レベル検出回路６２、音声信号周波数検出回路６３及び音声信号位相差検出回路６４の各検出回路で、音声信号のレベル、周波数及び位相差が各々検出される。各検出回路６２〜６４で検出された信号レベル、周波数及び位相差は、レベル判定部６５の音声信号レベル判定回路７４、音声信号周波数判定回路７５及び音声信号位相差判定回路７６に出力され、各判定回路７４〜７６において、音声レベル範囲設定値７７、音声周波数設定値７８及び音声位相差設定値７９を満たすか否かが判定され、音声特性の良否が判定される。
【００１０】
尚、輝度信号検出回路６０、色差信号検出回路６１、音声信号レベル検出回路６２、音声信号周波数検出回路６３、及び音声信号位相差検出回路６４は、外部からの測定開始信号８０を受けた検出回路スタート信号発生器８１からのスタート信号によって検出動作を開始する。
【００１１】
上記レベルチェッカーによれば、局名のロゴや素材番号等が白抜きスーパーなどでパイロットカラーバーに重畳されていても、その部分が誤って映像特性の判定対象に含まれるのを回避することができ、適切に映像特性を判定することが可能となる。
【００１２】
【特許文献１】特開２００４−３４３４７７号公報
【発明の開示】
【発明が解決しようとする課題】
【００１３】
しかしながら、特許文献１に記載のレベルチェッカーにおいては、良否判定に用いるホワイト領域を、輝度信号のみから抽出するため、パイロットカラーバーのホワイト領域と他の色との境界部分にノイズがあると、そのノイズが判定対象エリア内に含まれることがある。その場合、ノイズが色差レベル異常として検出されるため、問題のない映像信号であっても、異常であると誤判定される虞があった。
【００１４】
また、上記レベルチェッカーにおいては、映像信号のフィールド画像有効期間中について、音声信号のレベルを検出するが、例えば、音声レベルの検出期間中に無音状態が含まれる場合等には、その無音部分で音声信号のレベルが適正範囲を逸脱するため、全体としては異常のないレベルの音声信号であっても、エラーとして検出されるという問題があった。
【００１５】
さらに、音声信号の周波数判定に際しては、周波数検出の方法として、音声信号の波形が０レベル線を交わる回数（ＭＳＢの変化回数）をカウントするのが一般的であるが、その方法では、波形変化の大小に拘わらず、０レベル線と交差すれば、変化回数がカウントされる。そのため、音声信号中に微少なノイズが混入すると、そのノイズによる波形変化がカウント対象となり、全体としては適正な周波数の信号であっても、周波数エラーとして誤判定される虞があった。
【００１６】
そこで、本発明は、上記従来の技術における問題点に鑑みてなされたものであって、映像上のノイズや音声上のノイズ等がパイロットカラーバーに混在している素材であっても、適切にレベル判定を行うことが可能な映像音声レベルチェッカーを提供することを目的とする。
【課題を解決するための手段】
【００１７】
上記目的を達成するため、本発明は、映像音声レベルチェッカーであって、パイロットカラーバー信号の映像信号を輝度信号と色差信号に分離する信号変換部と、前記色差信号のレベルを検出する色差レベル検出部と、前記輝度信号に基づいて特定されるホワイト領域を縮小補正し、該補正したホワイト領域を色差検出領域として設定する領域補正部と、前記色差レベル検出部で検出された前記色差信号のレベルのうち、前記領域補正部で設定された色差検出領域内の色差信号のレベルを用いて、色差信号レベルの良否を判定する色差レベル判定部とを備えることを特徴とする。
【００１８】
そして、本発明によれば、ホワイト領域を縮小補正することにより、色差レベル判定部での判定対象領域からパイロットカラーバーの境界部分を除外することができるため、境界部分にノイズが含まれていても、色差レベル異常として誤検出されるのを防止することが可能となる。
【００１９】
上記映像音声レベルチェッカーにおいて、前記輝度信号のレベルを検出する輝度レベル検出部と、該輝度レベル検出部で検出された前記輝度信号のレベルの良否を判定する輝度レベル判定部と、該輝度レベル判定部及び前記色差レベル判定部の判定結果に基づいて前記映像信号の良否を判定する映像判定部とを備えるように構成することができる。
【００２０】
上記構成によれば、境界部分に存在するノイズの影響を排除した色差レベル判定結果と、輝度レベル判定結果との双方に基づいて、映像信号の映像特性を総合的に判定することができ、映像特性を正確に判定することが可能となる。
【００２１】
上記映像音声レベルチェッカーにおいて、前記パイロットカラーバー信号の音声信号のレベルを検出する音声レベル検出部と、該音声レベル検出部で検出された音声信号のレベルの良否を所定の周期で判定する音声レベル判定部とを備え、前記音声レベル判定部は、前記所定の周期で良否判定した複数の判定結果のすべてが異常判定であるときに、前記音声信号に異常があると判定するように構成することができる。
【００２２】
上記構成によれば、音声信号のレベルを周期的に良否判定して複数の判定結果を取得し、その複数の判定結果のうちの一部に異常判定があっても、適正なレベルの音声信号であると判定するため、例えば、音声信号レベルの検出期間中に無音状態が含まれる場合等に、レベル異常として誤検出されるのを防止することが可能となる。
【００２３】
上記映像音声レベルチェッカーにおいて、前記音声レベル判定部の一態様として、前記音声レベル検出部で検出された音声信号のレベルの良否を判定する音声レベル判定回路と、該音声レベル判定回路の判定結果を所定の間隔で区切り、各区間の判定結果のすべてが異常判定であるときに、前記音声信号に異常があると判定する出力判定回路とを備えるように構成することができる。
【００２４】
上記映像音声レベルチェッカーにおいて、前記音声信号に含まれるノイズを除去するノイズ除去部と、該ノイズ除去部でノイズが除去された音声信号の周波数を検出する周波数検出部と、該周波数検出部で検出された音声信号の周波数の良否を判定する周波数判定部とを備えるように構成することができる。
【００２５】
上記構成によれば、周波数検出部の前段で、パイロットカラーバー信号の音声信号に含まれるノイズが除去されるため、音声信号中のノイズが周波数検出の検出対象となることはなく、従って、音声信号に微少なノイズが含まれている場合等に、周波数異常として誤判定されるのを防止することが可能となる。
【００２６】
上記映像音声レベルチェッカーにおいて、前記ノイズ除去部が、前記パイロットカラーバー信号の音声信号の下位の所定数ビットを破棄することにより、前記ノイズを除去するように構成することができる。これによれば、簡易な回路構成によって、ノイズ除去回路を構成することが可能となる。
【発明の効果】
【００２７】
以上のように、本発明によれば、映像上のノイズや音声上のノイズ等がパイロットカラーバーに混在している素材であっても、適切にレベル判定を行うことが可能となる。
【発明を実施するための最良の形態】
【００２８】
次に、本発明の実施の形態について図面を参照して詳細に説明する。
【００２９】
図１は、本発明にかかる映像音声レベルチェッカーの一実施の形態を示すブロック図であり、このレベルチェッカーは、大別して、信号入力部２と、入力信号処理部４と、信号変換部７と、レベル検出部１０と、レベル判定部１７とから構成される。
【００３０】
信号入力部２は、映像音声分離回路３を有し、映像音声分離回路３は、入力されたパイロットカラーバー信号１を映像信号と音声信号に分離する。
【００３１】
入力信号処理部４は、映像信号処理回路５と、音声信号処理回路６とを有し、映像信号処理回路５は、映像音声分離回路３から入力された映像信号の波形を整形し、音声信号処理回路６は、映像音声分離回路３から入力された音声信号の波形を整形する。
【００３２】
信号変換部７は、Ｙ／Ｃ分離回路８と、雑音除去回路９とを有し、Ｙ／Ｃ分離回路８は、入力された映像信号を輝度信号と色差信号に分離し、雑音除去回路９は、音声信号を量子化した量子化ビットの下位を破棄し、音声信号から微小ノイズを除去する。
【００３３】
レベル検出部１０は、輝度信号検出回路１１と、色差信号検出回路１２と、音声信号レベル検出回路１３と、音声信号周波数検出回路１４と、音声信号位相差検出回路１５と、検出回路スタート信号発生器１６とを備える。
【００３４】
輝度信号検出回路１１は、Ｙ／Ｃ分離回路８から入力された輝度信号のフィールド画像有効期間をスキャンし、１ライン毎に、ホワイトレベルでの輝度信号のピークレベルと、ホワイト領域のライン幅（〜数μｓ）とを検出する。色差信号検出回路１２は、Ｙ／Ｃ分離回路８から入力された色差信号について、上述の輝度信号のピークレベルを検出したライン幅の中で、色差信号レベルの最大値を検出する。
【００３５】
音声信号レベル検出回路１３は、音声信号処理回路６から入力された音声信号につき、上述の映像信号のフィールド画像有効期間をスキャンしている期間において、音声レベルを検出する。
【００３６】
音声信号周波数検出回路１４は、雑音除去回路９から入力された音声信号について、音声信号波形が０レベル線を交わる回数（ＭＳＢの変化回数）をカウントし、音声信号の周波数を計測する。音声信号周波数検出回路１４による周波数の検出は、雑音除去回路９からの音声信号波形が０レベルを交わる回数を所定時間（例えば、０．５秒）毎にカウントし、そのカウント値を周波数換算することで行われる。
【００３７】
音声信号位相差検出回路１５は、音声信号処理回路６から入力された音声信号につき、上述の映像信号のフィールド画像有効期間をスキャンしている期間において、音声チャンネル間の位相差を検出する。
【００３８】
上記輝度信号検出回路１１、色差信号検出回路１２、音声信号レベル検出回路１３、音声信号周波数検出回路１４及び音声信号位相差検出回路１５は、各特性検出を開始するタイミングが、パイロットカラーバー信号１の入力タイミングと同期する必要があるため、検出回路スタート信号発生器１６からのスタート信号に応答して各検出動作を開始する。検出回路スタート信号発生器１６は、ＶＴＲ等の起動のタイミングに合わせた測定開始信号３７を外部より受け、それに応答してスタート信号を出力する。
【００３９】
レベル判定部１７は、ラインメモリ１８と、輝度レベル判定回路１９と、色差検出領域補正回路２０と、色差レベル判定回路２１と、エリア判定回路２２と、音声信号レベル判定回路２３と、音声信号周波数判定回路２４と、音声信号位相差判定回路２５と、出力判定回路２６等を備える。
【００４０】
ラインメモリ１８は、１ライン毎に検出されるホワイトレベルでの輝度信号のピークレベルと、ホワイト領域のライン幅（〜数μｓ）とを順次保存し、それらピークレベル及びライン幅を、ホワイト領域の垂直方向の長さ（ライン数）の分だけ蓄積する。
【００４１】
輝度レベル判定回路１９は、ラインメモリ１８に蓄積されたホワイトレベルでの輝度信号のピークレベルを、輝度レベルの上限及び下限を設定した輝度レベル範囲設定値２９と比較し、輝度レベルの良否を判定する。また、輝度レベル判定回路１９は、ラインメモリ１８に蓄積されたライン幅と、その垂直方向の長さからホワイト領域の面積を導出し、導出した面積を判定面積設定値３１と比較する。ここで、判定面積設定値３１は、輝度レベル判定の判定対象とすべき領域の面積の上限と下限を設定したものである。このため、実際に検出したホワイト領域の面積と、判定面積設定値３１とを比較することにより、輝度レベルの判定対象にすべきでないホワイト領域を検出することができる。
【００４２】
色差検出領域補正回路２０は、輝度レベル判定回路１９で取得されたホワイト領域の面積を、検出領域補正量設定値３２の補正量だけ縮小し、その縮小したエリアを、後述の色差レベル判定回路２１での色差レベルの判定対象領域（色差レベル検出領域）として設定する。ここで、検出領域補正量設定値３２は、輝度レベル判定回路１９で取得されたホワイト領域の縦方向及び横方向の長さを所定量ずつ短くして、ホワイト領域の外周部分をカットする値に設定される。
【００４３】
色差レベル判定回路２１は、色差検出領域補正回路２０で設定された色差レベル検出領域内において、色差信号検出回路１２で検出された色差信号レベルの最大値が、色差レベルの上限と下限を設定した色差レベル範囲設定値３０内であるか否かを判定する。
【００４４】
エリア判定回路２２は、輝度信号検出回路１１で検出されたホワイト領域が、判定エリア設定値３３内に属するか否かを判定する。ここで、判定エリア設定値３３は、パイロットカラーバーの種類に応じて設定されるものであり、各種カラーバーでのホワイト領域の位置を示した設定値である。このため、検出されたホワイト領域が、判定エリア設定値３３内に存在しなければ、本来、良品判定の対象とすべき領域以外のホワイト領域を検出していると判定することができる。
【００４５】
音声信号レベル判定回路２３は、音声信号レベル検出回路１３で検出された音声レベルが、音声レベルの上限と下限を設定した音声レベル範囲設定値３４内に属するか否かを判定する。音声信号周波数判定回路２４は、音声信号周波数検出回路１４で検出された音声周波数が、音声周波数の上限と下限を設定した音声周波数設定値３５内に属するか否かを判定する。音声信号位相差判定回路２５は、音声信号位相差検出回路１５で検出された音声位相差が、音声信号のチャンネル間位相差の上限と下限を設定した音声位相差設定値３６内に属するか否かを判定する。
【００４６】
出力判定回路２６は、音声信号レベル判定回路２３で判定された１サンプル毎の判定結果を、一定周期（例えば０．５秒）毎の区間単位で評価し、全区間において信号異常判定があった場合に、音声信号レベル異常として判定結果を出力する。
【００４７】
次に、図１のレベルチェッカーに対し、図４に示すＳＭＰＴＥカラーバーの映像信号に、デジタル１ｋＨｚの音声信号を多重化したＳＤＩ(Serial Digital Interface）パイロットカラーバー信号が入力された場合を例にとって動作を説明する。
【００４８】
尚、本動作説明の例においては、判定対象となるＳＴＭＰカラーバーは、図４の１００％白領域４１とマゼンダ領域４２との境界部分に、色滲みによる１５％の色差ノイズを含むものとし、音声信号は、微少なノイズを含み、冒頭部分が無音であるものとする。但し、その他の輝度レベル、色差レベル、音声レベル、音声周波数及び音声位相差については、何れも適正値であるとする。また、判定面積設定値３１は、１００％白領域４１の面積に±１０％の許容値を付した値に設定され、判定エリア設定値３３は、１００％白領域４１がフィールド画面内の左下部に位置するとの設定がなされているものとする。
【００４９】
パイロットカラーバー信号１が入力されると、映像音声信号分離回路３により、映像信号と音声信号に分離され、映像信号は、映像信号処理回路５で波形整形された後に、シリアル/パラレル変換される。次いで、Ｙ／Ｃ分離回路８において輝度信号と色差信号に分離され、各々、輝度信号検出回路１１と色差信号検出回路１２に出力される。
【００５０】
次いで、輝度信号検出回路１１において、輝度信号のスキャン処理が開始され、１ライン毎にホワイトレベルでの輝度信号のピークレベルと、ホワイト領域のライン幅とが検出される。このとき、最初は、図４のＳＭＰＴＥカラーバーの７５％白領域４３の輝度レベルがピークレベルとして検出されるとともに、７５％白領域４３の水平方向幅がライン幅として検出される。
【００５１】
輝度レベル判定回路１９では、輝度信号検出回路１１で検出されたホワイト領域の面積を判定面積設定値３１と比較し、判定面積設定値３１を満たす場合に、輝度信号のピークレベルが輝度レベル範囲設定値２９を満たすか否かを判定する。７５％白領域４３の面積は、１００％白領域４１の面積よりも遙かに大きく、判定面積設定値３１の範囲内に属しないため（図４参照）、７５％白領域４３についての輝度信号の良否判定が行われることはなく、７５％白領域４３に関する検出結果は破棄される。
【００５２】
その後、輝度信号検出回路１１によるスキャン処理が図４のＳＭＰＴＥカラーバーの下部領域まで行われると、今度は、１００％白領域４１がホワイト領域として検出される。このホワイト領域は、判定面積設定値３１を満たすため、輝度レベル判定回路１９において、検出されたホワイト領域の輝度信号のピークレベルに基づき、輝度レベルの良否判定が行われる。この際、例えば、輝度レベル範囲設定値２９を１００±１０％程度に設定しておくことにより、輝度レベルの良否を適切に判定することができる。
【００５３】
次いで、判定結果がエリア判定回路２２に出力されるとともに、ホワイト領域の面積を示す信号が色差検出領域補正回路２０に出力される。そして、色差検出領域補正回路２０において、ホワイト領域の面積が検出領域補正量設定値３２の縮小量だけ縮小され、色差検出領域として色差レベル判定回路２１に出力される。
【００５４】
上記の処理と併行して、色差信号検出回路１２において、色差信号のスキャン処理が実行され、色差信号レベルの最大値がライン毎に検出される。次いで、色差レベル判定回路２１において、検出された色差信号の最大値の中から、上記の色差検出領域内に属する色差信号の最大値のみが取り出され、取り出された最大値が色差レベル範囲設定値３０に属するか否かが判定される。上述のとおり、色差検出領域は、色差検出領域補正回路２０でホワイト領域が縮小されることによって生成されたものであるため、その領域内からは、１００％白領域４１とマゼンダ領域４２との境界部分が除かれている。このため、境界部分に存在する１５％の色差ノイズは、色差レベルの判定対処に含まれず、色差レベル異常として検出されることはない。
【００５５】
次いで、エリア判定回路２２において、輝度信号検出回路１１で取得されたホワイト領域の位置と、判定エリア設定値３３とが比較され、取得されたホワイト領域の位置が判定エリア設定値３３内に属するか否かが判定される。取得されたホワイト領域の位置が判定エリア設定値３３と異なる場合には、その領域はスーパー信号等とみなされて、輝度レベル判定回路１９及び色差レベル判定回路２１の判定結果が無効とされるが、ここでは、１００％白領域４１がホワイト領域として取得されているため、取得されたホワイト領域の位置は、判定エリア設定値３３と合致する。そのため、輝度レベル判定回路１９及び色差レベル判定回路２１の判定結果が採用され、映像判定出力２７としては、正常判定が出力される。
【００５６】
一方、映像音声信号分離回路３によって分離された音声信号は、音声信号処理回路６で波形整形され、雑音除去回路９、音声信号レベル検出回路１３及び音声位相差検出回路１５へ分配供給される。
【００５７】
このうち、雑音除去回路９に出力された音声信号は、雑音除去回路９において、例えば、２０ビットのうちの下位８ビット分が破棄され、１２ビットの音声信号に変換される。これにより、音声信号の中から８ビット以下の微少ノイズが取り除かれる。
【００５８】
次いで、音声信号周波数検出回路１４において、微少ノイズが取り除かれた音声信号を対象として、音声信号の周波数が検出されるとともに、音声信号周波数判定回路２４において、検出された音声信号の周波数が音声周波数設定値３５内に属するか否かが判定される。判定結果は、音声判定出力２８として外部に通知される。上述のとおり、音声信号に含まれる微少ノイズは、音声信号周波数検出回路１４の前段で除去されているため、周波数異常として判定されることはなく、適正な周波数として判定される。
【００５９】
尚、本動作説明の例では、音声信号の冒頭部分に無音期間が含まれているため、音声信号周波数判定回路２４において、一時的に周波数異常が検出されるが、音声信号周波数判定回路２４では、その後の有音期間の判定中に正常な周波数が得られていれば、適正な周波数の音声信号であるとして音声判定出力２８を出力する。このことは、音声信号の冒頭部分に無音期間が含まれている場合のみならず、ＶＴＲ起動直後等の不安定状態での周波数異常の誤検出防止にも有効である。
【００６０】
一方、音声信号レベル検出回路１３においては、音声信号処理回路６から出力された音声信号を対象とし、輝度信号検出回路１１での映像信号のフィールド画像有効期間をスキャンしている期間での音声信号レベルが検出される。次いで、音声信号レベル判定回路２３において、検出された音声信号レベルの良否が判定され、検出された音声信号レベルが音声レベル範囲設定値３４内であれば、正常と判定され、音声レベル範囲設定値３４外であれば、異常と判定される。
【００６１】
次いで、出力判定回路２６において、音声信号レベル判定回路２３の音声レベル判定結果が、例えば、０．５秒等の一定間隔で区切られ、各区間における音声レベル判定結果が参照される。そして、すべての区間において、音声レベル判定結果が異常判定である場合には、異常な音声レベルの音声信号であると判定され、検出期間中で１区間でも正常判定されている場合には、適正な音声レベルの音声信号であると判定される。これにより、音声信号の冒頭部分に無音期間が含まれている場合でも、レベル異常として誤検出されるのを回避することが可能となる。
【００６２】
また、音声信号レベル検出回路１３においては、音声信号処理回路６から出力された音声信号を対象とし、輝度信号検出回路１１での映像信号のフィールド画像有効期間をスキャンしている期間での音声信号位相差が検出される。そして、音声信号位相差判定回路２５において、検出された位相差が音声位相差設定値３６と比較され、位相差の良否が判定される。判定結果は、音声判定出力２８として外部に通知される。
【００６３】
尚、上記実施の形態においては、音声信号レベル判定回路２３の判定結果を、出力判定回路２６で所定の間隔で区切り、それによって得られる複数の判定結果を用いて音声レベルを再評価するが、例えば、音声信号レベル判定回路２３において、音声信号レベル検出回路１３から出力される音声信号のピークレベルを区間毎に良否判定し、複数の判定結果を得るようにしてもよい。この場合、区間毎の判定結果を出力判定回路２６に出力して、出力判定回路２６で音声レベルに関する最終的な判定結果を決定するようにしてもよいし、出力判定回路２６を備えずに、音声信号レベル判定回路２３で、区間毎の判定結果に基づき、最終的な判定結果を決定するようにしてもよい。
【図面の簡単な説明】
【００６４】
【図１】本発明にかかるレベルチェッカーの一実施の形態を示すブロック図である。
【図２】従来のＶＴＲ等のテープ収録の構成を示す図である。
【図３】従来のＶＴＲ等のパイロットカラーバーの一例として、フルフィールドカラーバーを示す図である。
【図４】従来のＶＴＲ等のパイロットカラーバーの一例として、ＳＭＰＴＥカラーバーを示す図である。
【図５】従来のレベルチェッカーを示すブロック図である。
【符号の説明】
【００６５】
１    パイロットカラーバー信号
２    信号入力部
３    映像音声信号分離回路
４    入力信号処理部
５    映像信号処理回路
６    音声信号処理回路
７    信号変換部
８    Ｙ／Ｃ分離回路
９    雑音除去回路
１０  レベル検出部
１１  輝度信号検出回路
１２  色差信号検出回路
１３  音声信号レベル検出回路
１４  音声信号周波数検出回路
１５  音声信号位相差検出回路
１６  検出回路スタート信号発生器
１７  レベル判定部
１８  ラインメモリ
１９  輝度レベル判定回路
２０  色差検出領域補正回路
２１  色差レベル判定回路
２２  エリア判定回路
２３  音声信号レベル判定回路
２４  音声信号周波数判定回路
２５  音声信号位相差判定回路
２６  出力判定回路
２７  映像判定出力
２８  音声判定出力
２９  輝度レベル範囲設定値
３０  色差レベル範囲設定値
３１  判定面積設定値
３２  検出領域補正量設定値
３３  判定エリア設定値
３４  音声レベル範囲設定値
３５  音声周波数設定値
３６  音声位相差設定値
３７  測定開始信号
４１  １００％白領域
４２  マゼンダ領域
４３  ７５％白領域
【図１】
2008228166.tif 000003
【図２】
2008228166.tif 000004
【図３】
2008228166.tif 000005
【図４】
2008228166.tif 000006
【図５】
2008228166.tif 000007